(57)【要約】      （修正有）【課題】構造が簡単で安価に製造でき、さらに容易に組み立て折りたたみができる陳列棚を提供する。【解決手段】段ボールシート製であり、４段の折りたたみ可能な棚部材２００−１、２００−２、２００−３、２００−４を折りたたみ可能な棚支持部材３００に下段ほど前側に位置するように配置する。棚部材は、陳列品を載置できる底部２６０、奥板２１０、２枚の側板２２０、２４０、奥板より低い前板２３０を備え、底部は、４枚の延設板２１１、２２１、２３１、２４１で上側に折りたたみ可能に構成する。棚支持部材は、背板、２枚の支持側板３２０、底支持板３４０から構成する。各棚部材の底部は、下段に配置する棚部材の奥板で支持し、最下段の棚部材は棚支持部材の底支持板で支持する。【選択図】図４
0003189362.tif 000002
【実用新案登録請求の範囲】
【請求項１】
切り出し成型された板材から形成され、
陳列品を載置できる四角形状の底部、前記底部の奥側辺から立設される奥板、前記底部の両側部に立設される２枚の側板、前記底部の手間側辺から立設され前記奥板より低い前板を備え、
前記奥板、前記２枚の側板および前記前板が連結されて四角筒状をなし、
前記底部が前記奥板、前記２枚の側板および前記前板の下側辺に延びて形成された４枚の延設板が組み立てられて構成され、
前記奥板および前記前板を隣接した前記側板に近づけて境界で折り曲げて前記４枚の延設板の内側端部が上方に持上げられ、前記奥板と前記前板が近接するように折りたたみ可能に構成された複数の棚部材と、
切り出し成型された板材から形成され、
前記複数の棚部材を上下方向に重ねて配置するに際して、前記複数の棚部材を挟んで保持し、下側に配置した前記棚部材の前記奥板の上端が上側に配置した前記棚部材の前記底部を支持する位置に保持する２枚の支持側板、
および前記２枚の支持側板の下端部の間に配置され、最下段に配置された前記棚部材の前記底部を支持する底支持板を備え、
前記複数の棚部材を取り付けた状態で、前記複数の棚部材を折りたたむとき、前記棚部材の折りたたみと同期して折りたたまれる棚支持部材と、
を備えることを特徴とする陳列棚。
【請求項２】
前記棚支持部材は、配置された前記複数の棚部材の奥側に配置される背板を備えることを特徴とする請求項１に記載の陳列棚。
【請求項３】
前記４枚の延設板のうち、前記奥板に隣接した前記延設板と、前記２枚の側板に隣接する２枚の延設板のうち一方の延設板が接合され、および前記前板に隣接した前記延設板と、前記２枚の側板に隣接する２枚の延設板のうち他方の延設板が接合されていることを特徴とする請求項１または請求項２に記載の陳列棚。
【請求項４】
前記板材は、段ボールシート、厚紙シート、合成樹脂板製シート、合成樹脂製段ボールシートのいずれかであることを特徴とする請求項１から請求項３のいずれか１項に記載の陳列棚。
【請求項５】
前記棚部材は、段ボール箱を切欠加工して製造されたものであることを特徴とする請求項１から請求項４のいずれか１項に記載の陳列棚。
【考案の詳細な説明】
【技術分野】
【０００１】
本考案は、折りたたみ可能な陳列棚に関する。
【背景技術】
【０００２】
陳列棚は、店頭での商品の臨時展示等に用いられることがあり、このような陳列棚は、保管や運搬を容易にする必要がある。このため、軽量であること、非使用状態において保管や運搬しやすい形状であること、非使用状態から容易に使用状態とし、展示が終了したとき容易に非使用状態にできることが望まれる。従来、このような陳列棚として、段ボールや厚紙で製作され、組み立て、分解できる陳列棚が提案されている。
【０００３】
文献１には、一対の側壁を背壁に連設し、両側壁間に棚を渡した陳列台において、棚を背壁に上下方向に回動自在に取り付け、両側壁間に折りたたみ用の斜折線を有する棚受板を渡し、この棚受板で棚を支持する陳列棚が記載されている。
【０００４】
また、特許文献２には、下部をひな段状にジグザグ折りすることができる表板の裏面に背板を貼り付けてなる販売台において、ひな段状にジグザグ折り下された下部の両側部に湾曲可能な連絡片を設けると共に背板の下部両側に外縁を段状に形成した段板を連設し、組み立て時にこの段板を前方に折り曲げ、かっこの段板の外縁に連絡片を接合させて前記    
【特許文献１】特開２００４−４９７８８公報参照
【特許文献２】実開昭６０−３９６６６公報参照
【考案の開示】
【考案が解決しようとする課題】
【０００５】
しかし、従来の陳列棚はその構造が複雑であるため作成が容易でなく高価格である他、組み立てや分解、折りたたみに手間がかかるという問題がある。
【０００６】
本考案は、構造が簡単で安価に製造でき、さらに容易に組み立て折りたたみができる陳列棚を提供することを目的とする。
【課題を解決するための手段】
【０００７】
前記課題を解決する請求項１に記載の考案は、切り出し成型された板材から形成され、陳列品を載置できる四角形状の底部、前記底部の奥側辺から立設される奥板、前記底部の両側部に立設される２枚の側板、前記底部の手間側辺から立設され前記奥板より低い前板を備え、前記奥板、前記２枚の側板および前記前板が連結されて四角筒状をなし、前記底部が前記奥板、前記２枚の側板および前記前板の下側辺に延びて形成された４枚の延設板が組み立てられて構成され、前記奥板および前記前板を隣接した前記側板に近づけて境界で折り曲げて前記４枚の延設板の内側端部が上方に持上げられ、前記奥板と前記前板が近接するように折りたたみ可能に構成された複数の棚部材と、切り出し成型された板材から形成され、前記複数の棚部材を上下方向に重ねて配置するに際して、前記複数の棚部材を挟んで保持し、下側に配置した前記棚部材の前記奥板の上端が上側に配置した前記棚部材の前記底部を支持する位置に保持する２枚の支持側板、および前記２枚の支持側板の下端部の間に配置され、最下段に配置された前記棚部材の前記底部を支持する底支持板を備え、前記複数の棚部材を取り付けた状態で、前記複数の棚部材を折りたたむとき、前記棚部材の折りたたみと同期して折りたたまれる棚支持部材と、を備えることを特徴とする陳列棚である。
【０００８】
同じく請求項２に記載の考案は、請求項１に記載の陳列棚において、前記棚支持部材は、配置された前記複数の棚部材の奥側に配置される背板を備えることを特徴とする。
【０００９】
同じく請求項３に記載の考案は、請求項１または請求項２に記載の陳列棚において、前記４枚の延設板のうち、前記奥板に隣接した前記延設板と、前記２枚の側板に隣接する２枚の延設板のうち一方の延設板が接合され、および前記前板に隣接した前記延設板と、前記２枚の側板に隣接する２枚の延設板のうち他方の延設板が接合されていることを特徴とする。
【００１０】
同じく請求項４に記載の考案は、請求項１から請求項３のいずれか１項に記載の陳列棚において、前記板材は、段ボールシート、厚紙シート、合成樹脂板製シート、合成樹脂製段ボールシートのいずれかであることを特徴とする。
【００１１】
同じく請求項５に記載の考案は、請求項１から請求項４のいずれか１項に記載の陳列棚において、前記棚部材は、段ボール箱を切欠加工して製造されたものであることを特徴とする。
【考案の効果】
【００１２】
本考案に係る陳列棚によれば、構造が簡単で安価に製造でき、さらに容易に組み立て折りたたみができる。
【図面の簡単な説明】
【００１３】
【図１】本考案の実施形態に係る陳列棚を示すものであり、（ａ）は正面図、（ｂ）は平面図、（ｃ）は側面図である。
【図２】同陳列棚の棚部材を示すものであり、（ａ）は展開図、（ｂ）は斜め下方からの斜視図である。
【図３】同陳列棚の棚支持部材を示す展開図である。
【図４】同陳列棚を示す斜め上方向からの斜視図である。
【図５】同陳列棚を示す上方向からの斜視図である。
【図６】同陳列棚を示す下方向からの斜視図である。
【図７】同陳列棚を示す横方向からの斜視図である。
【図８】同陳列棚の折りたたみ状態を示すものであり、（ａ）、（ｂ）、（ｃ）は展開、折りたたみ状態を順次し示す斜視図である。
【図９】同陳列棚の折りたたみ状態を示す模式図である。
【考案を実施するための最良の形態】
【００１４】
本考案を実施するための形態に係る陳列棚について説明する。まず全体構造の概要について説明する。図１は本考案の実施形態に係る陳列棚を示すものであり、（ａ）は正面図、（ｂ）は平面図、（ｃ）は側面図である。陳列棚１００は、棚支持部材３００に、４段の棚部材２００−１、２００−２、２００−３、２００−４を重ねて配置して構成される。４段の棚部材２００−１、２００−２、２００−３、２００−４は最上段から順次前側（図１（ｃ）中左側）に位置するようずらして配置される。棚部材２００−１、２００−２、２００−３、２００−４および棚支持部材３００は、段ボールシートを切り出して組み立てられて構成されている。なお、棚部材の段数は必要に応じて、２段、３段、５段と適宜変更できる。
【００１５】
次に棚部材２００−１、２００−２、２００−３、２００−４の構造について説明する。４段の棚部材２００−１、２００−２、２００−３、２００−４は同一構造であるので、段数を問わないときは単に棚部材２００と記載する。図２は同陳列棚の棚部材を示すものであり、（ａ）は展開図、（ｂ）は斜め下方からの斜視図である。棚部材２００は、段ボールシートを図２（ａ）に示す形状に切り出したものを組み立て、貼り合せて構成される。棚部材２００は、陳列品を載置できる四角形状平板をなす底部２６０、前記底部２６０の奥側辺から立設される奥板２１０、前記底部の両側辺に立設される２枚の側板２２０、２４０、底部２６０の手間側辺から立設され奥板２１０より低い前板２３０を備える。奥板２１０には継ぎしろ２５０が配置される。奥板２１０、側板２２０、２４０、前板２３０は、接着しろ２５０で張り合わされて四角筒状をなす。
【００１６】
底部２６０は、奥板２１０、側板２２０、前板２３０、側板２４０の下辺２１０ａ、２２０ａ、２３０ａ、２４０ａから延びて形成された４枚の延設板２１１、２２１、２３１、２４１を組み立てて構成される。延設板２１１、２３１には、接着面２２１ａ、２３１ａと、挿入凸部２１１ｂ、２３１ｂと、挿入凹部２１１ｃ、２３１ｃを備える。また、延設板２１１には、接着面２２１ａの境界に上側に向けて山折りされる折れ線２１１ｄが、延設板２３１には、接着面２３１ａの境界に上側に向けて山折りされる折れ線２３１ｄが形成される。
【００１７】
奥板２１０、側板２２０、２４０、前板２３０を四角筒状に組み立てた状態で、図２（ｂ）に示すように、延設板２２１、２４１が接着面２２１ａ、２３１ａに接着された状態で、挿入凸部２１１ｂが、挿入凹部２３１ｃに、挿入凸部２３１ｂが挿入凹部２１１ｃに挿入される。これにより、底部２６０が形成され、この底部２６０の上面に展示物を配置することができる。
【００１８】
また、棚部材２００では、奥板２１０、側板２２０、前板２３０、側板２４０の上側辺２１０ｂ、２２０ｂ、２２０ｃ、２３０ｂ、２４０ｂ、２４０ｃに補強板２１２、２２２、２２３、２３２、２４２、２４３を配置している。奥板２１０、側板２２０、２４０、前板２３０を四角筒状に組み立てた状態で、補強板２１２、２２２、２２３、２３２、２４２、２４３を内側に折り曲げて補強を行う。
【００１９】
このような構成を備える棚部材２００は、奥板２１０および前板２３０を隣接した側板２２０、２４０にそれぞれ近づけてそれぞれの境界で折り曲げることができる。これにより、４枚の延設板２１１、２２１、２３１、２４１の内側端部が上方に持ち上げられ、奥板２１０と前板２３０とが近接するように折りたたまれる。
【００２０】
このような、底部２６０の構造は、既成の段ボール箱の底部にもワンタッチ型として使用されている。このため、棚部材２００は、既成の段ボール箱を加工して構成できる。実施形態に係る棚部材２００の底部２６０は、延設板２１１と延設板２２１、延設板２３１と延設板２４１が互いに接合されているので、強度が高く、組み立て、折りたたみを迅速に行うことができる。
【００２１】
次に棚支持部材３００について説明する。図３は同陳列棚の棚支持部材を示す展開図である。棚支持部材３００は、切り出し成型した板材である段ボールシートを接合して四角筒状としたものである。棚支持部材３００は、四角形状の背板３１０と、台形状の２枚の支持側板３２０、３３０と、２枚の支持側板３２０、３３０の下端部の間に配置され底支持板３４０とを備える。
【００２２】
底支持板３４０には、接着しろ３５０が延設されている。接着しろ３５０を支持側板３２０に接着して支持側板３２０、３３０が平行に対向して配置された四角筒状部材となり、底支持板３４０が背板３１０に近接するように、折りたたむことができる。また、棚支持部材３００を四角筒状に組み立てた状態で、支持側板３２０、３３０の間には、４段の棚部材２００を配置する。棚部材２００は、支持側板３２０、３３０にピン２２４、２２５、２４４、２４５（図４、図５参照）で固定配置する。なお、棚部材２００の棚支持部材３００への固定は接着等他の手段でもよい。
【００２３】
陳列棚１００は、組み立てられた４つの棚部材２００−１、２００−２、２００−３、２００−４を棚支持部材３００に配置することにより作成する。図４は同陳列棚を示す斜め上方向からの斜視図、図５は同陳列棚を示す上方向からの斜視図、図６は同陳列棚を示す下方向からの斜視図、図７は同陳列棚を示す横方向からの斜視図である。
【００２４】
このような状態で、最上段の棚部材２００−１の底部２６０は、第２段の棚部材２００−２の奥板２１０が接触して支持される。また、２段目の棚部材２００−２の底部２６０は、３段目の棚部材２００−３の奥板２１０が、同様に３段目の棚部材２００−３の底部２６０は、第４段の棚部材２００−４の棚部材２００の奥板２１０で支持される。さらに、最下段の棚部材２００−４の底部２６０は、棚支持部材３００の側板２４０で支持される。このため、各段の底部２６０は、上からの荷重に対して十分な強度を備える。
【００２５】
また、実施形態に係る陳列棚１００では、棚部材２００−１、２００−２、２００−３、２００−４が上段から下段に向けて手前側に配置されているので、前方の情報から観察したとき、上段の棚部材２００が陳列品を観察する障害にならない。
【００２６】
次に陳列棚１００の組み立て、折りたたみについて説明する。図８は同陳列棚の折りたたみ状態を示すものであり、（ａ）、（ｂ）、（ｃ）は折りたたみ状態を順次示す斜視図、図９は同陳列棚の折りたたみ状態を示すものであり、図８の（ａ）、（ｂ）、（ｃ）に対応する断面図である。
【００２７】
陳列棚１００を使用状態（図８（ａ）、図９（ａ））から折りたたむには、棚支持部材３００の支持側板３２０を背板３１０に近接するように回転させる。これに連動して、支持側板３３０も背板３１０の延長線３１０Ａに近接するように回転し、棚支持部材３００は折りたたまれる。そして、支持側板３２０の支持側板３２０、３３０と、棚部材２００の側板２２０、２４０とは接合されているので、棚支持部材３００に配置された４段の棚部材２００−１、２００−２、２００−３、２００−４も折りたたまれる。このとき、棚部材２００の側板２２０、２４０は、図８（ａ）図９（ｂ）、（ｃ）中矢印Ｂの方向に揺動し、また、延設板２１１、２２１、２３１、２４１は図中矢印Ｃの方向に持上げられ、４つの棚部材２００−１、２００−２、２００−３、２００−４も折りたたまれる。
【００２８】
すなわち、棚部材２００は、側板２２０を奥板２１０に近接するように、同様に側板２４０は奥板２１０の延長線に近接するように回転する。このとき、底部２６０を構成する延設板２３１の挿入凸部２３１ｂが挿入凹部２１１ｃから外れ、同様に、延設板２１１の挿入凸部２１１ｂが、延設板２３１の挿入凹部２３１ｃから外れる。そして、延設板２１１および延設板２３１は、折れ線２１１ｄ、２３１ｄで折り曲げられつつ、上側に持上げられる。これにより、棚部材２００は、図２（ｂ）中の矢印Ａの方向に押された状態で、断面平行四辺形になる。
【００２９】
このようにして、陳列棚１００は、４段の棚部材２００−１、２００−２、２００−３、２００−４と、棚支持部材３００とが、図８（ｂ）（ｃ）、図９（ｂ）（ｃ）に示すように、変形して非使用状態になる。陳列棚１００はこの状態で、小さな体積しか占めないので、容易に運搬、保管をすることができる。また、陳列棚１００は、段ボールシートで構成されているので、その重さも小さい。
【００３０】
陳列棚１００を非使用状態から使用状態にするには、上述した手順と逆の手順で棚支持部材３００および棚部材２００−１、２００−２、２００−３、２００−４を拡開する。
【００３１】
以上のように、実施形態に係る陳列棚は、構造が簡単で安価に製造でき、さらに容易に組み立て折りたたみができる。
【００３２】
なお、上述した実施形態では、陳列棚１００の棚部材２００および棚支持部材３００を段ボールシートで作成したが、これらは、厚紙シート、合成樹脂板製シート、合成樹脂製段ボールシート等の軽量で硬質のシートで作成することができる。また、棚部材２００の段数は、４段に限らない。さらに、棚部材の底部の構造も実施形態の例に限らず、適宜変更することができる。
【符号の説明】
【００３３】
１００：陳列棚
２００：棚部材
２１０：奥板
２１１：延設板
２２０：側板
２２１：延設板
２３０：前板
２３１：延設板
２４０：側板
２４１：延設板
２６０：底部
３００：棚支持部材
３１０：背板
３２０、３３０：支持側板
３４０：底支持板
【図１】
0003189362.tif 000003
【図２】
0003189362.tif 000004
【図３】
0003189362.tif 000005
【図４】
0003189362.tif 000006
【図５】
0003189362.tif 000007
【図６】
0003189362.tif 000008
【図７】
0003189362.tif 000009
【図８】
0003189362.tif 000010
【図９】
0003189362.tif 000011
【手続補正書】
【提出日】平成26年1月6日(2014.1.6)
【手続補正１】
【補正対象書類名】実用新案登録請求の範囲
【補正対象項目名】全文
【補正方法】変更
【補正の内容】
【実用新案登録請求の範囲】
【請求項１】
切り出し成型された紙製板材から形成され、
陳列品を載置できる四角形状の底部、前記底部の奥側辺から折り畳み可能に立設される奥板、前記底部の両側部に折り畳み可能に立設される２枚の側板、前記底部の手間側辺から折り畳み可能に立設され前記奥板より低い前板を備え、
前記奥板、前記２枚の側板および前記前板は相互に折り畳み可能に連設されて四角筒状をなし、
前記底部は前記奥板、前記２枚の側板および前記前板の下側辺に延びて形成された４枚の延設板が組み立てられて構成され、前記奥板および前記前板を隣接した前記側板に近づけて境界で折り曲げて前記４枚の延設板の内側端部が上方に持上げられ、前記奥板と前記前板が近接するように折りたたみ可能に構成された複数の棚部材と、
切り出し成型された紙製板材から形成され、前記複数の棚部材を上下方向に重ねて配置するに際して、前記複数の棚部材を挟んで保持し、下側に配置した前記棚部材の前記奥板の上端が上側に配置した前記棚部材の前記底部を支持する位置に保持する２枚の支持側板と、
前記２枚の支持側板の下端部の間に折り畳み可能に配置され、最下段に配置された前記棚部材の前記底部を支持する底支持板と、
前記複数の棚部材の奥側に配置され、前記支持側板と折り畳み可能に接合された背板とを備えたことを特徴とする陳列棚。
【請求項２】
前記４枚の延設板のうち、前記奥板に隣接した前記延設板と、前記２枚の側板に隣接する２枚の延設板のうち一方の延設板が接合され、および前記前板に隣接した前記延設板と、前記２枚の側板に隣接する２枚の延設板のうち他方の延設板が接合されていることを特徴とする請求項１に記載の陳列棚。
【請求項３】
前記紙製板材は、段ボールシート、厚紙シート、合成樹脂板製シート、合成樹脂製段ボールシートのいずれかであることを特徴とする請求項１又は請求項２のいずれか１項に記載の陳列棚。
【請求項４】
前記棚部材は、段ボール箱を切欠加工して製造されたものであることを特徴とする請求項１から請求項３のいずれか１項に記載の陳列棚。
【手続補正２】
【補正対象書類名】明細書
【補正対象項目名】全文
【補正方法】変更
【補正の内容】
【考案の詳細な説明】
【技術分野】
【０００１】
本考案は、折りたたみ可能な陳列棚に関する。
【背景技術】
【０００２】
陳列棚は、店頭での商品の臨時展示等に用いられることがあり、このような陳列棚は、保管や運搬を容易にする必要がある。このため、軽量であること、非使用状態において保管や運搬しやすい形状であること、非使用状態から容易に使用状態とし、展示が終了したとき容易に非使用状態にできることが望まれる。従来、このような陳列棚として、段ボールや厚紙で製作され、組み立て、分解できる陳列棚が提案されている。
【０００３】
文献１には、一対の側壁を背壁に連設し、両側壁間に棚を渡した陳列台において、棚を背壁に上下方向に回動自在に取り付け、両側壁間に折りたたみ用の斜折線を有する棚受板を渡し、この棚受板で棚を支持する陳列棚が記載されている。
【０００４】
また、特許文献２には、下部をひな段状にジグザグ折りすることができる表板の裏面に背板を貼り付けてなる販売台において、ひな段状にジグザグ折り下された下部の両側部に湾曲可能な連絡片を設けると共に背板の下部両側に外縁を段状に形成した段板を連設し、組み立て時にこの段板を前方に折り曲げ、かっこの段板の外縁に連絡片を接合させて前記    
【特許文献１】特開２００４−４９７８８公報参照
【特許文献２】実開昭６０−３９６６６公報参照
【考案の開示】
【考案が解決しようとする課題】
【０００５】
しかし、従来の陳列棚はその構造が複雑であるため作成が容易でなく高価格である他、組み立てや分解、折りたたみに手間がかかるという問題がある。
【０００６】
本考案は、構造が簡単で安価に製造でき、さらに容易に組み立て折りたたみができる陳列棚を提供することを目的とする。
【課題を解決するための手段】
【０００７】
前記課題を解決する請求項１に記載の考案は、切り出し成型された紙製板材から形成され、陳列品を載置できる四角形状の底部、前記底部の奥側辺から折り畳み可能に立設される奥板、前記底部の両側部に折り畳み可能に立設される２枚の側板、前記底部の手間側辺から折り畳み可能に立設され前記奥板より低い前板を備え、
前記奥板、前記２枚の側板および前記前板は相互に折り畳み可能に連設されて四角筒状をなし、前記底部は前記奥板、前記２枚の側板および前記前板の下側辺に延びて形成された４枚の延設板が組み立てられて構成され、前記奥板および前記前板を隣接した前記側板に近づけて境界で折り曲げて前記４枚の延設板の内側端部が上方に持上げられ、前記奥板と前記前板が近接するように折りたたみ可能に構成された複数の棚部材と、切り出し成型された紙製板材から形成され、前記複数の棚部材を上下方向に重ねて配置するに際して、前記複数の棚部材を挟んで保持し、下側に配置した前記棚部材の前記奥板の上端が上側に配置した前記棚部材の前記底部を支持する位置に保持する２枚の支持側板と、
前記２枚の支持側板の下端部の間に折り畳み可能に配置され、最下段に配置された前記棚部材の前記底部を支持する底支持板と、前記複数の棚部材の奥側に配置され、前記支持側板と折り畳み可能に接合された背板とを備えたことを特徴とする。
【０００８】
同じく請求項２に記載の考案は、請求項１に記載の陳列棚において、前記４枚の延設板のうち、前記奥板に隣接した前記延設板と、前記２枚の側板に隣接する２枚の延設板のうち一方の延設板が接合され、および前記前板に隣接した前記延設板と、前記２枚の側板に隣接する２枚の延設板のうち他方の延設板が接合されていることを特徴とする。
【０００９】
同じく請求項３に記載の考案は、請求項１または請求項２に記載の陳列棚において、前記紙製板材は、段ボールシート、厚紙シート、合成樹脂板製シート、合成樹脂製段ボールシートのいずれかであることを特徴とする。
【００１０】
同じく請求項４に記載の考案は、請求項１から請求項３のいずれか１項に記載の陳列棚において、前記棚部材は、段ボール箱を切欠加工して製造されたものであることを特徴とする。
【考案の効果】
【００１１】
本考案に係る陳列棚によれば、構造が簡単で安価に製造でき、さらに容易に組み立て折りたたみができる。
【図面の簡単な説明】
【００１２】
【図１】本考案の実施形態に係る陳列棚を示すものであり、（ａ）は正面図、（ｂ）は平面図、（ｃ）は側面図である。
【図２】同陳列棚の棚部材を示すものであり、（ａ）は展開図、（ｂ）は斜め下方からの斜視図である。
【図３】同陳列棚の棚支持部材を示す展開図である。
【図４】同陳列棚を示す斜め上方向からの斜視図である。
【図５】同陳列棚を示す上方向からの斜視図である。
【図６】同陳列棚を示す下方向からの斜視図である。
【図７】同陳列棚を示す横方向からの斜視図である。
【図８】同陳列棚の折りたたみ状態を示すものであり、（ａ）、（ｂ）、（ｃ）は展開、折りたたみ状態を順次し示す斜視図である。
【図９】同陳列棚の折りたたみ状態を示す模式図である。
【考案を実施するための最良の形態】
【００１３】
本考案を実施するための形態に係る陳列棚について説明する。まず全体構造の概要について説明する。図１は本考案の実施形態に係る陳列棚を示すものであり、（ａ）は正面図、（ｂ）は平面図、（ｃ）は側面図である。陳列棚１００は、棚支持部材３００に、４段の棚部材２００−１、２００−２、２００−３、２００−４を重ねて配置して構成される。４段の棚部材２００−１、２００−２、２００−３、２００−４は最上段から順次前側（図１（ｃ）中左側）に位置するようずらして配置される。棚部材２００−１、２００−２、２００−３、２００−４および棚支持部材３００は、段ボールシートを切り出して組み立てられて構成されている。なお、棚部材の段数は必要に応じて、２段、３段、５段と適宜変更できる。
【００１４】
次に棚部材２００−１、２００−２、２００−３、２００−４の構造について説明する。４段の棚部材２００−１、２００−２、２００−３、２００−４は同一構造であるので、段数を問わないときは単に棚部材２００と記載する。図２は同陳列棚の棚部材を示すものであり、（ａ）は展開図、（ｂ）は斜め下方からの斜視図である。棚部材２００は、段ボールシートを図２（ａ）に示す形状に切り出したものを組み立て、貼り合せて構成される。
【００１５】
棚部材２００は、陳列品を載置できる四角形状平板をなす底部２６０、前記底部２６０の奥側辺から立設される奥板２１０、前記底部の両側辺に立設される２枚の側板２２０、２４０、底部２６０の手間側辺から立設され奥板２１０より低い前板２３０を備える。奥板２１０には継ぎしろ２５０が配置される。奥板２１０、側板２２０、２４０、前板２３０は、接着しろ２５０で張り合わされて四角筒状をなす。
【００１６】
底部２６０は、奥板２１０、側板２２０、前板２３０、側板２４０の下辺２１０ａ、２２０ａ、２３０ａ、２４０ａから延びて形成された４枚の延設板２１１、２２１、２３１、２４１を組み立てて構成される。延設板２１１、２３１には、接着面２２１ａ、２３１ａと、挿入凸部２１１ｂ、２３１ｂと、挿入凹部２１１ｃ、２３１ｃを備える。また、延設板２１１には、接着面２２１ａの境界に上側に向けて山折りされる折れ線２１１ｄが、延設板２３１には、接着面２３１ａの境界に上側に向けて山折りされる折れ線２３１ｄが形成される。
【００１７】
奥板２１０、側板２２０、２４０、前板２３０を四角筒状に組み立てた状態で、図２（ｂ）に示すように、延設板２２１、２４１が接着面２２１ａ、２３１ａに接着された状態で、挿入凸部２１１ｂが、挿入凹部２３１ｃに、挿入凸部２３１ｂが挿入凹部２１１ｃに挿入される。これにより、底部２６０が形成され、この底部２６０の上面に展示物を配置することができる。
【００１８】
また、棚部材２００では、奥板２１０、側板２２０、前板２３０、側板２４０の上側辺２１０ｂ、２２０ｂ、２２０ｃ、２３０ｂ、２４０ｂ、２４０ｃに補強板２１２、２２２、２２３、２３２、２４２、２４３を配置している。奥板２１０、側板２２０、２４０、前板２３０を四角筒状に組み立てた状態で、補強板２１２、２２２、２２３、２３２、２４２、２４３を内側に折り曲げて補強を行う。
【００１９】
このような構成を備える棚部材２００は、奥板２１０および前板２３０を隣接した側板２２０、２４０にそれぞれ近づけてそれぞれの境界で折り曲げることができる。これにより、４枚の延設板２１１、２２１、２３１、２４１の内側端部が上方に持ち上げられ、奥板２１０と前板２３０とが近接するように折りたたまれる。
【００２０】
このような、底部２６０の構造は、既成の段ボール箱の底部にもワンタッチ型として使用されている。このため、棚部材２００は、既成の段ボール箱を加工して構成できる。実施形態に係る棚部材２００の底部２６０は、延設板２１１と延設板２２１、延設板２３１と延設板２４１が互いに接合されているので、強度が高く、組み立て、折りたたみを迅速に行うことができる。
【００２１】
次に棚支持部材３００について説明する。図３は同陳列棚の棚支持部材を示す展開図である。棚支持部材３００は、切り出し成型した板材である段ボールシートを接合して四角筒状としたものである。棚支持部材３００は、四角形状の背板３１０と、台形状の２枚の支持側板３２０、３３０と、２枚の支持側板３２０、３３０の下端部の間に配置され底支持板３４０とを備える。
【００２２】
底支持板３４０には、接着しろ３５０が延設されている。接着しろ３５０を支持側板３２０に接着して支持側板３２０、３３０が平行に対向して配置された四角筒状部材となり、底支持板３４０が背板３１０に近接するように、折りたたむことができる。また、棚支持部材３００を四角筒状に組み立てた状態で、支持側板３２０、３３０の間には、４段の棚部材２００を配置する。棚部材２００は、支持側板３２０、３３０にピン２２４、２２５、２４４、２４５（図４、図５参照）で固定配置する。なお、棚部材２００の棚支持部材３００への固定は接着等他の手段でもよい。
【００２３】
陳列棚１００は、組み立てられた４つの棚部材２００−１、２００−２、２００−３、２００−４を棚支持部材３００に配置することにより作成する。図４は同陳列棚を示す斜め上方向からの斜視図、図５は同陳列棚を示す上方向からの斜視図、図６は同陳列棚を示す下方向からの斜視図、図７は同陳列棚を示す横方向からの斜視図である。
【００２４】
このような状態で、最上段の棚部材２００−１の底部２６０は、第２段の棚部材２００−２の奥板２１０が接触して支持される。また、２段目の棚部材２００−２の底部２６０は、３段目の棚部材２００−３の奥板２１０が、同様に３段目の棚部材２００−３の底部２６０は、第４段の棚部材２００−４の棚部材２００の奥板２１０で支持される。さらに、最下段の棚部材２００−４の底部２６０は、棚支持部材３００の側板２４０で支持される。このため、各段の底部２６０は、上からの荷重に対して十分な強度を備える。
【００２５】
また、実施形態に係る陳列棚１００では、棚部材２００−１、２００−２、２００−３、２００−４が上段から下段に向けて手前側に配置されているので、前方の情報から観察したとき、上段の棚部材２００が陳列品を観察する障害にならない。
【００２６】
次に陳列棚１００の組み立て、折りたたみについて説明する。図８は同陳列棚の折りたたみ状態を示すものであり、（ａ）、（ｂ）、（ｃ）は折りたたみ状態を順次示す斜視図、図９は同陳列棚の折りたたみ状態を示すものであり、図８の（ａ）、（ｂ）、（ｃ）に対応する断面図である。
【００２７】
陳列棚１００を使用状態（図８（ａ）、図９（ａ））から折りたたむには、棚支持部材３００の支持側板３２０を背板３１０に近接するように回転させる。これに連動して、支持側板３３０も背板３１０の延長線３１０Ａに近接するように回転し、棚支持部材３００は折りたたまれる。そして、支持側板３２０の支持側板３２０、３３０と、棚部材２００の側板２２０、２４０とは接合されているので、棚支持部材３００に配置された４段の棚部材２００−１、２００−２、２００−３、２００−４も折りたたまれる。このとき、棚部材２００の側板２２０、２４０は、図８（ａ）図９（ｂ）、（ｃ）中矢印Ｂの方向に揺動し、また、延設板２１１、２２１、２３１、２４１は図中矢印Ｃの方向に持上げられ、４つの棚部材２００−１、２００−２、２００−３、２００−４も折りたたまれる。
【００２８】
すなわち、棚部材２００は、側板２２０を奥板２１０に近接するように、同様に側板２４０は奥板２１０の延長線に近接するように回転する。このとき、底部２６０を構成する延設板２３１の挿入凸部２３１ｂが挿入凹部２１１ｃから外れ、同様に、延設板２１１の挿入凸部２１１ｂが、延設板２３１の挿入凹部２３１ｃから外れる。そして、延設板２１１および延設板２３１は、折れ線２１１ｄ、２３１ｄで折り曲げられつつ、上側に持上げられる。これにより、棚部材２００は、図２（ｂ）中の矢印Ａの方向に押された状態で、断面平行四辺形になる。
【００２９】
このようにして、陳列棚１００は、４段の棚部材２００−１、２００−２、２００−３、２００−４と、棚支持部材３００とが、図８（ｂ）（ｃ）、図９（ｂ）（ｃ）に示すように、変形して非使用状態になる。陳列棚１００はこの状態で、小さな体積しか占めないので、容易に運搬、保管をすることができる。また、陳列棚１００は、段ボールシートで構成されているので、その重さも小さい。
【００３０】
陳列棚１００を非使用状態から使用状態にするには、上述した手順と逆の手順で棚支持部材３００および棚部材２００−１、２００−２、２００−３、２００−４を拡開する。
【００３１】
以上のように、実施形態に係る陳列棚は、構造が簡単で安価に製造でき、さらに容易に組み立て折りたたみができる。
【００３２】
なお、上述した実施形態では、陳列棚１００の棚部材２００および棚支持部材３００を段ボールシートで作成したが、これらは、厚紙シート、合成樹脂板製シート、合成樹脂製段ボールシート等の軽量で硬質のシートで作成することができる。また、棚部材２００の段数は、４段に限らない。さらに、棚部材の底部の構造も実施形態の例に限らず、適宜変更することができる。
【符号の説明】
【００３３】
１００：陳列棚
２００：棚部材
２１０：奥板
２１１：延設板
２２０：側板
２２１：延設板
２３０：前板
２３１：延設板
２４０：側板
２４１：延設板
２６０：底部
３００：棚支持部材
３１０：背板
３２０、３３０：支持側板
３４０：底支持板